(57)【要約】【課題】扉下端のヒンジ受け部分のひび割れや欠け落ち破損が発生しない冷蔵庫の提供。【解決手段】ヒンジ部材８で支持される扉５の下端部を樹脂製の扉キャップ部品１０で構成し、更に前記ヒンジ部材８と対応する扉キャップ部品１０の上方内部には横方向の第一補強部１６と縦方向の第二補強部１７とからなる補強部材１５を配置し、上記第二補強部１７はその上端が扉外被材の下端よりも上方に位置する構成としてある。これにより、扉構成部品である扉キャップ部品内に設けた補強部材１５が扉下端部のヒンジ受け部分に加わる下向きの荷重はもちろん横方向に加わる荷重に対してもこれを受けとめて扉キャップ部品を保護することになり、扉開成を強い力で頻繁に繰り返し行ったり、長期間使用していても、扉キャップ部品にひび割れが生じたり、欠け落ち破損が発生するのを防止することができる。【選択図】図５
2014142133.tif 000002
【特許請求の範囲】
【請求項１】
断熱性の冷蔵庫本体と、前記冷蔵庫本体の貯蔵室を開閉する断熱性の扉と、前記扉の一方を回転自在に支持するヒンジ部材と、を備え、前記扉は、前記貯蔵室側に配置される扉内枠ケースと、前記扉内枠ケースの外側に配置される金属製の扉外皮パネルと、前記扉内枠ケースと扉外皮パネルとの間に充填した断熱材と、前記扉外皮パネルに結合させて前記扉内枠ケースと扉外皮パネルとの間の下方に組み付けた樹脂製の扉キャップ部品とからなり、かつ前記ヒンジ部材と対応する前記扉キャップ部品の上方内部には横方向の第一補強部と縦方向の第二補強部とからなる補強部材を配置し、上記第二補強部はその上端が扉外被材の下端よりも上方に位置する構成としたことを特徴とする冷蔵庫。
【請求項２】
第一補強部はヒンジ部材のヒンジ軸が嵌合するヒンジ軸受け部が前記第一補強部の一部を貫通するように構成し、前記第二補強部は前記ヒンジ軸受け部と扉外被材との間に位置する構成としたことを特徴とする請求項１に記載の冷蔵庫。
【請求項３】
第二補強部と扉キャップ部品の外周壁、扉外被パネル及びヒンジ軸受け部との間は発泡断熱材を充填して、これら扉キャップ部品の外周壁、扉外被材及びヒンジ軸受け部を前記発泡断熱材で密着したことを特徴とする請求項１または２記載の冷蔵庫。
【請求項４】
扉キャップ部品の外面に補強板を配置するとともに、補強部材は前記補強板に対し二箇所で固定したことを特徴とする請求項１〜３のいずれか１項に記載の冷蔵庫。
【請求項５】
ヒンジ部材は、扉キャップ部品を貫通して扉の内部に位置するヒンジ軸と前記扉キャップ部品の外部に位置して扉を支持する平板部とを備えたことを特徴とする請求項１〜４のいずれか１項に記載の冷蔵庫。
【発明の詳細な説明】
【技術分野】
【０００１】
本発明は冷蔵庫に関し、特に扉のヒンジ受け部分の構成に関するものである。
【背景技術】
【０００２】
一般に冷蔵庫は貯蔵室を開閉する扉を備え、当該扉はその一端部をヒンジ部材によって回転自在に支持してある。そして、上記ヒンジ部材によって支持される扉の下端面は補強板が設けてあって、この補強板を介してヒンジ部材のヒンジ軸を挿入し回転自在に支持してある（例えば、特許文献１参照）。
【０００３】
図８、図９は上記特許文献１に記載された冷蔵庫を示し、１０１は冷蔵庫本体１０２に取り付けたヒンジ部材、１０３はヒンジ部材１０１に設けたヒンジ軸、１０４は扉１０５の下端面を構成する扉部品、１０６は扉部品１０４の下端面に取り付けたストッパー板で、扉１０５の回転範囲を一定範囲に規制すると同時に補強板ともなるものである。１０７は前記ストッパー板１０６に設けたヒンジ軸受け部で、前記扉部品１０４の下端面を貫通して扉内部に位置している。そして、このヒンジ軸受け部１０７に前記ヒンジ部材１０１のヒンジ軸１０３を嵌合して、扉部品１０４、すなわち扉１０５を回転自在に支持している。
【先行技術文献】
【特許文献】
【０００４】
【特許文献１】特開２００４−３０１４５７号公報
【発明の概要】
【発明が解決しようとする課題】
【０００５】
上記特許文献１に記載されている構成のものは、ストッパー板１０６が扉下端面を構成する扉部品１０４の下面を補強すると同時に平面度を出しているので、扉１０５の回転支持を安定したものとすることができる利点がある。
【０００６】
しかしながら、扉は一般的に開く方向に力を加えてそのまま手を離すと、扉の開きが規制される扉回転終端部で大きな荷重が加わる。そのため、上記従来のような構成であると、扉開成を強い力で勢いよく行うことを繰り返していたり、或いは長期間使用していると、扉下端部分を構成する扉部品１０４が樹脂製であることから、この扉部品１０４にひび割れが発生するという課題があった。
【０００７】
特に最近の冷蔵庫は大型化し、それに伴い扉１０５も大型化して、扉１０５のヒンジ受け部分に加わる荷重が大きなものとなりつつあり、その結果、従来では扉開成を強い力で勢いよく行うことを頻繁に繰り返したり、かなり長期間使用して、初めてひび割れが生じる程度であったが、大型化した最近の扉の場合は比較的短期間でひび割れが発生することがあり、しかもその発生状況が従来のひび割れ程度にとどまらず一部が欠け落ちて破損にまで至る、という状況になり、大きな課題となりつつある。
【０００８】
本発明はこのような点に鑑みてなしたもので、扉開成を強い力で繰り返し行ったり、長期間使用していても、扉下端部分のひび割れや欠け落ち破損が発生しない冷蔵庫の提供を目的としたものである。
【課題を解決するための手段】
【０００９】
本発明は上記目的を達成するため、断熱性の冷蔵庫本体と、前記冷蔵庫本体の貯蔵室を
開閉する断熱性の扉と、前記扉の一方を回転自在に支持するヒンジ部材と、を備え、前記扉は、前記貯蔵室側に配置される扉内枠ケースと、前記扉内枠ケースの外側に配置される金属製の扉外皮パネルと、前記扉内枠ケースと扉外皮パネルとの間に充填した断熱材と、前記扉内枠ケースと扉外皮パネルとの間の下方に組み付けた樹脂製の扉キャップ部品とからなり、かつ前記ヒンジ部材と対応する前記扉キャップ部品の上方内部には横方向の第一補強部と縦方向の第二補強部とからなる補強部材を配置し、上記第二補強部はその上端が扉外被材の下端よりも上方に位置する構成としてある。
【００１０】
これにより、扉構成部品である扉キャップ部品内に設けた補強部材が扉下端部のヒンジ受け部分に加わる下向きの荷重はもちろん横方向に加わる荷重に対してもこれを受けとめて扉キャップ部品を保護することになり、扉開成を強い力で頻繁に繰り返し行ったり、長期間使用していても、扉キャップ部品にひび割れが生じたり、欠け落ち破損が発生するのを防止することができる。
【発明の効果】
【００１１】
本発明は、扉開成を強い力で頻繁に繰り返し行ったり、長期間使用していても、扉キャップ部品にひび割れが生じたり、欠け落ち破損が発生するのを防止することができ、耐久性の高い冷蔵庫を提供することができる。
【図面の簡単な説明】
【００１２】
【図１】本発明の実施の形態１における冷蔵庫の正面図
【図２】同冷蔵庫の扉を開いたときの正面図
【図３】同冷蔵庫の扉の一部を分解して示す斜視図
【図４】同冷蔵庫の扉のヒンジ受け部分の内部を示す分解斜視図
【図５】同冷蔵庫の扉のヒンジ受け部分の断面図
【図６】同冷蔵庫の扉のヒンジ受け部分の内面を示す平面図
【図７】同冷蔵庫の扉のヒンジ受け部分の下端外面を下面図
【図８】従来の冷蔵庫の扉のヒンジ部を示す分解斜視図
【図９】同従来の冷蔵庫の扉ヒンジ部を示す側面図
【発明を実施するための形態】
【００１３】
第１の発明は、断熱性の冷蔵庫本体と、前記冷蔵庫本体の貯蔵室を開閉する断熱性の扉と、前記扉の一方を回転自在に支持するヒンジ部材と、を備え、前記扉は、前記貯蔵室側に配置される扉内枠ケースと、前記扉内枠ケースの外側に配置される金属製の扉外皮パネルと、前記扉内枠ケースと扉外皮パネルとの間に充填した断熱材と、前記扉内枠ケースと扉外皮パネルとの間の下方に組み付けた樹脂製の扉キャップ部品とからなり、かつ前記ヒンジ部材と対応する前記扉キャップ部品の上方内部には横方向の第一補強部と縦方向の第二補強部とからなる補強部材を配置し、上記第二補強部はその上端が扉外被材の下端よりも上方に位置する構成としてある。
【００１４】
これにより、扉構成部品である扉キャップ部品内に設けた補強部材が扉下端部のヒンジ受け部分に加わる下向きの荷重はもちろん横方向に加わる荷重に対してもこれを受けとめて扉キャップ部品を保護することになり、扉開成を強い力で頻繁に繰り返し行ったり、長期間使用していても、扉キャップ部品にひび割れが生じたり、欠け落ち破損が発生するのを防止することができる。
【００１５】
第２の発明は、第１の発明において、第一補強部はヒンジ部材のヒンジ軸が嵌合するヒンジ軸受け部が前記第一補強部の一部を貫通するように構成し、前記第二補強部は前記ヒンジ軸受け部と扉外被材との間に位置する構成としたものである。
【００１６】
これにより、補強部材はヒンジ軸受け部によって位置規制することができるとともに、特にヒンジ軸受け部を介しても加わる横方向の荷重を当該ヒンジ軸受け部と扉外被材との間に位置する第二補強部が受け止めるようになり、より確実にひび割れや欠け落ち破損を防止することができる。
【００１７】
第３の発明は、第１または第２の発明において、第二補強部と扉キャップ部品の外周壁、扉外被パネル及びヒンジ軸受け部との間は発泡断熱材を充填して、これら扉キャップ部品の外周壁、扉外被材及びヒンジ軸受け部を前記発泡断熱材で密着した構成としてある。
【００１８】
これにより、断熱材である発泡ウレタン等の発泡断熱材によって第二補強部と扉キャップ部品の外周壁、扉外被パネル及びヒンジ軸受け部との機械的接着力および衝撃吸収力の向上を図ることができ、更に確実にひび割れや欠け落ち破損を防止することができるとともに、発泡ウレタンの物性的特長である弾性破壊限界が高いことによって、例えば一気に扉が落下するような事態が発生するようなことも防止でき安全性を向上することができる。
【００１９】
第４の発明は、第１〜第３の発明において、扉キャップ部品の外面に補強板を配置するとともに、補強部材は前記補強板に対し二箇所で固定した構成としてある。
【００２０】
これにより、補強部材は扉回転終端部で第一補強部に加わる横方向の荷重により一部が横方向に動いて扉キャップ部品に損傷を与えるようなこともなくなり、扉キャップ部品のひび割れや欠け落ち破損をより確実に防止することができる。
【００２１】
第５の発明は、第１〜第４の発明において、ヒンジ部材は、扉キャップ部品を貫通して扉の内部に位置するヒンジ軸と前記扉キャップ部品の外部に位置して扉を支持する平板部とを備えた構成としてある。
【００２２】
これにより、ヒンジ部材は扉を回転自在に支持することができる。
【００２３】
以下、本発明の実施の形態について、図面を参照しながら説明する。なお、この実施の形態によって本発明が限定されるものではない。
【００２４】
（実施の形態１）
図１は本発明の実施の形態１における冷蔵庫の正面図、図２は同冷蔵庫の扉を開いたときの正面図、図３は同冷蔵庫の扉の一部を分解して示す斜視図、図４は同冷蔵庫の扉のヒンジ受け部分の内部を示す分解斜視図、図５は同冷蔵庫の扉のヒンジ受け部分の断面図、図６は同冷蔵庫の扉のヒンジ受け部分の内面を示す平面図、図７は同冷蔵庫の扉のヒンジ受け部分の下端外面を下面図である。
【００２５】
図１〜図３において、１は冷蔵庫本体で、三つの貯蔵室２、３、４を有し、上部の貯蔵室２を冷蔵室（以下、冷蔵室２と称す）、その下部の貯蔵室３を冷凍室（以下、冷凍室３と称す）、更にその下部の貯蔵室４を野菜室（以下、野菜室４と称す）としてある。
【００２６】
そしてこれらの各室は冷蔵庫本体１背面に設けた冷却室（図示せず）で生成した冷気を供給して冷却するようになっている。
【００２７】
上記冷蔵庫本体１は、図示しないものの、従来と同様、前方に開口する金属製（例えば鉄板）の外箱と、硬質樹脂製（例えばＡＢＳ製）の内箱と、これら外箱と内箱との間に発泡充填した硬質ウレタン等の断熱材とからなる。
【００２８】
また、冷蔵庫本体１の冷蔵室２、冷凍室３、野菜室４の前面は、冷蔵庫本体１と同様の構成によって断熱性を持たせた扉５、６、７によって開閉自在としてあり、そのうち、上記冷蔵室２の扉５はその一端部側をヒンジ部材８によって回動自在に支持してある。
【００２９】
以下、上記ヒンジ部材８によって支持される扉５のヒンジ受け部分の構成について、図３〜図７を用いて説明する。
【００３０】
図３〜図７において、１０は扉５の下端部を構成する扉キャップ部品で、ＡＢＳ等の樹脂で形成してあり、図３に示すように金属製の扉外被材１１と樹脂製の扉内枠ケース１２及び前記扉外被材１１と扉内枠ケース１２との間の硬質発泡ウレタン等の断熱材１３からなる扉５の下端部を覆っている。この扉キャップ部品１０は図５に示すようにその外周壁１４の凹状溝に扉外被材１１の下端を嵌め込んで結合し扉５の下端部に取り付けてある。
【００３１】
１５は上記扉キャップ部品１０のヒンジ受け部となる部分の内部に配置した金属製の補強部材で、図４に示すように略Ｌ字状に形成して、扉キャップ部品１０の内面横方向に位置する第一補強部１６と扉端面側の外周壁１４に沿って縦方向に位置する第二補強部１７とを備えている。更にこの補強部材１５は前記第一補強部１６及び第二補強部１７のそれぞれに屈曲片１８、１９を有しており、かつ、扉キャップ部品１０の内面に沿って横方向に位置する第一補強部１６には固定用ネジ孔２０とヒンジ軸受け部用孔２１が形成してある。
【００３２】
２２は上記扉キャップ部品１０のヒンジ受け部となる部分の下端面に配設した扉閉め状態保持板で、ＰＯＭ（ポリアセタール樹脂）等の滑り製の良い樹脂で形成してあり、扉５を閉じたとき、一端部側に設けた鍵形状部２３がヒンジ部材８の突起（図示せず）に軽く係止して、当該閉じた扉５が気密用パッキンの弾発力で開くことがないようにするためのものである。２４は上記扉閉め状態保持板２２の下端外面に設けた金属性の補強板で、前記扉キャップ部品１０の下端面の平面度を出してヒンジ部材８による扉支持を安定したものとするものである。
【００３３】
そして、上記補強板２４と扉閉め状態保持板２２及び前記補強部材１５の第一補強部１６は、図５に示すように、ビス２５を前記補強部材１５の第一補強部１６に設けた固定用ネジ孔２０に螺合することによって、前記扉キャップ部品１０に取り付け固定してある。
【００３４】
また、前記扉キャップ部品１０のヒンジ受け部となる部分に有底筒状のヒンジ軸受け部２６が貫設してあり、扉５の断熱材１３中まで突出するように前記補強板２４、扉閉め状態保持板２２、扉キャップ部品１０を貫通させて装着してある。
【００３５】
これによって、前記補強部材１５と前記補強板２４、扉閉め状態保持板２２は、扉キャップ部品１０に対し、それぞれ前記ビス２５とヒンジ軸受け部２６の二箇所で固定した形となっている。
【００３６】
また、前記補強部材１５は縦方向に設けた第二補強部１７が前記ヒンジ軸受け部２６と前記扉キャップ部品１０の扉端面側の外周壁１４との間に位置するように配置してあり、第二補強部１７と外周壁１４・扉外被材１１およびヒンジ軸受け部２６の間には、断熱材１３が充填され、その第二補強部１７の上端が扉外被材１１の下端よりも上方、すなわち、扉端面側の外周壁１４と扉外被材１１との結合部よりも上方に位置する構成としてある。そして、前記第一補強部１６及び第二補強部１７のそれぞれには前記した如く屈曲片１８、１９が形成してある。
【００３７】
なお、前記扉５を支持するヒンジ部材８は、図５に示すように扉キャップ部品１０のヒ
ンジ軸受け部２６に嵌挿したヒンジ軸２７と、前記扉キャップ部品１０の下端外面部に位置して扉５を支持する平板部２８とを備え、冷蔵庫本体１にビス止め固定してある。
【００３８】
上記構成において、扉５を開くと、扉５のヒンジ受け部分には大きな荷重が加わる。しかしながらこの冷蔵庫の扉５はそのヒンジ受け部分に従来からある補強板２４に加えて扉内部に補強部材１５を設け、この補強部材１５は横方向に位置する第一補強部１６と縦方向に位置する第二補強部１７とを備えた構成としてあるから、扉下端部のヒンジ受け部分に加わる下向きの荷重はもちろん横方向に加わる荷重に対してもこれを受けとめて扉キャップ部品１０を保護する。すなわち、扉５はその回転が規制される扉回転終端部で扉自体の慣性力によりヒンジ受け部分に大きな荷重が加わり、その荷重が扉キャップ部品１０のヒンジ受け部分とその近傍の断熱材１３に回転方向、すなわち横向きの荷重として集中的に加わる。しかしながらこの冷蔵庫の扉では、前記横向きの荷重は前記扉キャップ部品１０の外周壁１４に沿って縦方向に立ち上がる第二補強部１７が確実に受け止めるようになり、扉キャップ部品１０の外周壁１４に直接大きな荷重が加わるのを防止するようになる。
【００３９】
加えて、第二補強部１７と外周壁１４・扉外被パネル１１およびヒンジ軸受け部２６の間には、断熱材１３が充填されているので、第二補強部１７と外周壁１４・扉外被材１１の間は断熱材である硬質発泡ウレタンを介して密着しており、硬質発泡ウレタンによる機械的接着力および衝撃吸収力の向上が図られている。
【００４０】
したがって、扉５が大型のものであって、扉開成を強い力で頻繁に繰り返し行ったり、長期間使用していても、扉キャップ部品１０にひび割れが生じたり、欠け落ち破損が発生するのを防止することができる。
【００４１】
また、前記補強部材１５の第二補強部１７の上端は扉外被材１１の下端、すなわち扉キャップ部品１０との結合部よりも上方に位置させてあるから、第二補強部１７と扉外被パネル１１の間の硬質発泡ウレタンによる上記効果をより大きくすることができるとともに、樹脂製で破損しやすい扉キャップ部品１０の外周壁１４全域を確実に保護することができ、より確実に扉キャップ部品１０のひび割れや欠け落ち破損を防止することができる。
【００４２】
また、万一、扉キャップ部品１０が割れても硬質発泡ウレタンの物性的特長である弾性破壊限界が高いことによって、一気に扉が落下することを防止でき安全性を向上できる。
【００４３】
また、この実施の形態では、上記補強部材１５の前記第一補強部１６はその一部にヒンジ軸受け部２６を貫通させるとともに、前記第二補強部１７は前記ヒンジ軸受け部２６と扉外被材１１との間に位置する構成としてあるから、より確実にひび割れや欠け落ち破損を防止することができる。すなわち、補強部材１５はヒンジ軸受け部２６によってその補強部材１５の動きを規制でき、横方向の強い荷重を受けて位置ずれしてこの第一補強部１６の縁部が扉キャップ部品１０の外周壁１４に強く当たって扉キャップ部品１０を損傷させてしまうのを防止できると同時に、第二補強部１７はヒンジ軸受け部２６と扉外被材１１との間に位置して、前記断熱材１３からはもちろん更にヒンジ軸受け部２６を介しても加わるであろう横方向の荷重を確実に受け止めるようになり、より確実にひび割れや欠け落ち破損を防止することができるのである。
【００４４】
また、上記補強部材１５は第一補強部１６及び第二補強部１７の縁部に屈曲片１８、１９が設けてあるから、その強度が向上するとともに、断熱材１３からの荷重に回転方向のねじり成分があっても、このねじり成分荷重を上記屈曲片１８，１９が受け止めて扉キャップ部品１０の外周壁１４に直接加わるのを防止する。よって、より確実に扉キャップ部品１０のひび割れや欠け落ち破損を防止することができる。
【００４５】
更に、前記扉キャップ部品１０の外下面に補強板２４を配置するとともに、補強部材１５は当該補強板２４に対しビス２５とヒンジ軸受け部２６の二箇所で固定した形としてあるから、補強部材１５は扉回転終端部で第一補強部１６に加わる横方向の荷重を、扉キャップ部品１０下外面の補強板２４に固定したビス２５とヒンジ軸受け部２６との二箇所で強固に受け止め固定されることになる。したがって、補強部材１５が横方向の荷重を受けて経年的に動くことを確実に防止でき、扉キャップ部品１０に対する荷重を確実に防止することができる。これによって、更に確実に扉キャップ部品１０のひび割れや欠け落ち破損を防止することができる。
【００４６】
以上説明してきたようにこの冷蔵庫は、扉のヒンジ受け部分のひび割れや欠け落ち破損を防止できるものであるが、本発明の目的を達成する範囲で種々変更可能であることは言うまでもない。
【産業上の利用可能性】
【００４７】
以上のように本発明は、扉開成を強い力で頻繁に繰り返し行ったり、長期間使用していても、扉キャップ部品にひび割れが生じたり、欠け落ち破損が発生するのを防止することができ、耐久性の高い冷蔵庫とすることができるもので、一般用はもちろん業務用の冷蔵庫にも幅広く適用できる。
【符号の説明】
【００４８】
１  冷蔵庫本体
２  冷蔵室（貯蔵室）
３  冷凍室（貯蔵室）
４  野菜室（貯蔵室）
５、６、７  扉
８  ヒンジ部材
１０  扉キャップ部品
１１  扉外被材
１２  扉内枠ケース
１３  断熱材
１４  外周壁
１５  補強部材
１６  第一補強部
１７  第二補強部
１８、１９  屈曲片
２０  固定用ネジ孔
２１  ヒンジ軸受け部用孔
２２  扉閉め状態保持板
２３  鍵形状部
２４  補強板
２５  ビス
２６  ヒンジ軸受け部
２７  ヒンジ軸
２８  平板部
【図１】
2014142133.tif 000003
【図２】
2014142133.tif 000004
【図３】
2014142133.tif 000005
【図４】
2014142133.tif 000006
【図５】
2014142133.tif 000007
【図６】
2014142133.tif 000008
【図７】
2014142133.tif 000009
【図８】
2014142133.tif 000010
【図９】
2014142133.tif 000011